(57)【要約】【課題】検索者の個人情報をもとに検索者に相応しい飲食店または料理の調理法または両方の情報を提供すること。 【解決手段】個人情報を蓄積している個人情報蓄積手段１０２と、飲食情報を蓄積している飲食情報蓄積手段１０３を検索する検索手段１０４と、検索結果を表示する表示手段１１２とからなり、表示手段１１２は検索手段１０４の検索結果を個人情報蓄積手段１０２の情報に基づいて表示することとなる。【選択図】図１
2007034656.tif 000002
【特許請求の範囲】
【請求項１】
飲食情報を管理する飲食情報管理システムにおいて、
個人情報を蓄積している個人情報蓄積手段と、前記飲食情報を蓄積している飲食情報蓄積手段と、前記２つの蓄積手段を検索する検索手段と、その検索結果を表示する表示手段とからなり、
前記表示手段は前記個人情報蓄積手段の情報に基づいて前記検索手段により検索された検索結果を表示することとした飲食情報管理システム。
【請求項２】
個人情報と、飲食情報とを登録する登録手段を備え、
前記登録手段は飲食情報とそれらの登録者の個人情報を記録させることとした請求項１記載の飲食情報管理システム。
【請求項３】
検索手段において、
検索者の個人情報と登録者の個人情報との類似度を測る類似度計測手段を備え、
表示手段は前記検索手段の検索結果を前記類似度計測手段の結果の高い順または低い順に表示することとした請求項１または２に記載の飲食情報管理システム。
【請求項４】
類似度計測手段において、
グラフを作成するグラフ作成手段と、グラフの面積を計算するグラフ面積計算手段とからなり、
登録者の個人情報を前記グラフ作成手段によりグラフ化しその面積を前記グラフ面積計算手段により計算し、その面積を比較することにより類似度を測ることとした請求項３に記載の飲食情報管理システム。 
【請求項５】
類似度計測手段において、
評価が一致する項目数を数える一致項目数測定手段を備え、
登録者の個人情報と検索者の個人情報を項目ごとに一致項目数測定手段により比較し、一致した項目の数を数えることにより類似度を測ることとした請求項３に記載の飲食情報管理システム。
【請求項６】
請求項１〜５のいずれか１項記載の飲食情報管理システムの少なくとも一部をコンピュータに実行させるためのプログラム。
【発明の詳細な説明】
【技術分野】
【０００１】
本発明は飲食情報を登録している蓄積手段をもち、蓄積手段の検索者が自らの情報を登録し検索項目を指定することにより蓄積手段の中から検索者に相応しい情報を表示することとした飲食情報管理システムおよびそのプログラムに関するものである。
【背景技術】
【０００２】
従来、この種の飲食情報管理システムは利用した飲食店に対してレイティングをつけ利用者の特定のシチュエーションに対する飲食店選びの傾向を推測し、それを基に飲食店の提案を行っている（例えば、特許文献１参照）。
【０００３】
図５は、特許文献１に記載された従来の飲食情報管理システムを示すものである。図５に示すように、レイティングデータベース５０１と、利用者データベース５０２と、飲食店データベース５０３と、レイティング受付手段５０４と、ポイント手段５０５と、傾向分析手段５０６と、レコメンド手段５０７と、エリア属性手段５０８と、フィードバック手段５０９と、飲食店端末５１１と、利用者端末５１２とから構成されている。
【０００４】
傾向分析手段５０６は、利用者が飲食店データベース５０３を検索する際にあるシチュエーションに対してどのような飲食店を選択する傾向があるのかを分析し、結果を利用者データベース５０２に蓄積しておき、利用者の前記傾向分析手段５０６の結果と利用者と同様の傾向を持った他人の選択を基にエリア属性手段５０８により定められたエリア内にある飲食店を飲食店データベース５０３の中からレコメンド手段５０７により提案し利用者端末５１２に表示する。
【特許文献１】特開２００３−１６７９７１号公報
【発明の開示】
【発明が解決しようとする課題】
【０００５】
しかしながら、前記従来の構成では、利用者が飲食店を利用したシチュエーションを基に推測された傾向から飲食店を提案するため、利用者の味の好みや体調などの情報をもとに利用者に相応しい飲食情報を提供することができないという課題を有していた。
【０００６】
本発明は、前記従来の課題を解決するもので、利用者の個人情報を基に飲食情報を検索し利用者に提供することとした飲食情報管理システムを提供することを目的とする。
【課題を解決するための手段】
【０００７】
前記従来の課題を解決するために、本発明の飲食情報管理システムは、個人情報を蓄積している個人情報蓄積手段と、前記飲食情報を蓄積している飲食情報蓄積手段と、前記２つの蓄積手段を検索する検索手段と、その検索結果を表示する表示手段とからなり、前記表示手段は前記個人情報蓄積手段の情報に基づいて前記検索手段により検索された検索結果を表示することとしたものである。
【０００８】
これによって、検索者の個人情報、例えば在住地区や料理の好みや生活スタイルなど、に適当な飲食情報を短時間で提供することとなる。
【０００９】
また、本発明の飲食情報管理システムは検索手段において、検索者の個人情報と登録者の個人情報との類似度を測る類似度計測手段を備え、前記表示手段は前記検索手段の検索結果を前記類似度計測手段の結果の高い順または低い順から表示することとしたものである。
【００１０】
これによって、検索結果の個数が多い場合、検索者に類似した登録者が高く評価をした飲食店の情報または調理法または両方を優先して表示することにより検索者が多くの検索結果の中から迷う時間をなくし、検索時間の短縮につながることとなる。
【発明の効果】
【００１１】
本発明の飲食情報管理システムおよびそのプログラムは、個人情報蓄積手段の情報に基づいて検索手段により検索された検索結果を表示することにより検索者が複雑な操作を行わずに検索者に適当な飲食情報を提供することができる。
【発明を実施するための最良の形態】
【００１２】
第１の発明は、個人情報を蓄積している個人情報蓄積手段と、前記飲食情報を蓄積している飲食情報蓄積手段と、前記２つの蓄積手段を検索する検索手段と、その検索結果を表示する表示手段とからなり、前記表示手段は前記個人情報蓄積手段の情報に基づいて前記検索手段により検索された検索結果を表示することにより、個人情報を基に飲食情報を提供することができる。
【００１３】
第２の発明は、特に、第１の発明において、個人情報と、飲食情報とを登録する登録手段を備え、前記登録手段は飲食情報とそれらの登録者の個人情報を記録させることにより、たとえば、検索者が要望する飲食情報の登録者と検索者の個人情報を比較することができる。
【００１４】
第３の発明は、特に、第１または第２の発明の飲食情報管理システムの検索手段において、検索者の個人情報と登録者の個人情報との類似度を測る類似度計測手段を備え、前記表示手段は前記検索手段の検索結果を類似度計測手段の高い順または低い順から表示することにより、検索者の個人情報と登録者の個人情報を比較することが可能となり検索者と類似した情報をもった登録者が高く評価をした飲食店または調理法または両方を優先的に表示することができる。
【００１５】
第４の発明は、特に、第３の発明の飲食情報管理システムの類似度計測手段において、グラフを作成するグラフ作成手段と、そのグラフの面積を計算するグラフ面積計算手段からなり、登録者の個人情報を前記グラフ作成手段によりグラフ化しその面積を前記グラフ面積計算手段により計算し、面積を比較することにより類似度を測り、登録者と検索者の総合的な類似度を比較することができる。
【００１６】
第５の発明は、特に、第３または４の発明の飲食情報管理システムの度類似度計測手段において、評価が一致する項目数を数える一致項目数測定手段を備え、登録者の個人情報と検索者の個人情報を項目ごとに一致項目数測定手段により比較し、一致した項目の数を数えることにより類似度を測ることにより登録者と検索者の特定された項目に対する類似度を比較することができる。
【００１７】
第６の発明は、飲食情報管理システムの少なくとも一部をプログラム化することにより、電気・情報機器、コンピュータ、サーバー等のハードリソースを協働させて本発明の飲食情報管理システムの少なくとも一部を容易に実現することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における飲食情報管理システムの構成図を示すもの
である。
【００２０】
図１において、個人情報と、飲食情報とを登録する登録手段１０１と、その個人情報を蓄積している個人情報蓄積手段１０２と、その飲食情報を蓄積している飲食情報蓄積手段１０３と、個人情報蓄積手段１０２と飲食情報蓄積手段１０３とを検索する検索手段１０４と、検索結果を表示する表示手段１１２とからなる。
【００２１】
検索手段１０４は、検索者の個人情報と登録者の個人情報の類似度を測る類似度計測手段１０５と、検索者の個人情報を認識する個人情報認識手段１０９と、検索項目を認識する検索項目認識手段１１０と、検索項目や検索条件を入力する入力手段１１１とからなる。
【００２２】
類似度計測手段１０５は、グラフを作成するグラフ作成手段１０６と、グラフの面積を計算するグラフ面積計算手段１０７と、一致した項目数を測る一致項目数測定手段１０８とからなる。
【００２３】
以上のように構成された飲食情報管理システムについて、以下その動作、作用を説明する。
【００２４】
まず個人情報蓄積手段１０２と、飲食情報蓄積手段１０３とにどのような情報がどのような形式で蓄積されているかを説明し、検索手段１０４がどのようにそれらの情報を使い利用者に適した飲食情報を提供するかを説明する。
【００２５】
まず個人情報蓄積手段１０２には登録者が自由に選択可能なＩＤ、年齢、性別、在住地区等の基本情報と、飲食に対するこだわり、例えば味付けの好みや、料理の好みや、お酒の好み、と生活スタイル、と健康状態などが登録されている。
【００２６】
図４に示すように飲食情報管理システム側で予め各項目に対して複数の選択種が設けてあり、登録手段１０１により各項目の登録者に当てはまる選択種を選択することにより登録手段１０１から登録することが可能である。また各項目の選択種には文章と数値が設けてあり、数値は後ほど説明する登録者と検索者の類似度を測る際に利用される。
【００２７】
まず味付けの好みには塩味、甘み、すっぱさ、脂っこさ、味噌味等の項目の中から登録者に当てはまる数値を登録手段１０１より登録する。濃い味が好きであれば好きなほど大きい数値になるなど全ての項目にて一定の規則に伴い評価が行えるよう設定されている。
【００２８】
次に生活スタイル（図示しない）には同居人数、運動具合、食事回数、食事の規則性等が記録されている。例えば運動具合であれば毎日３０分以上運動をする、１日置き、一週間に１日か２日、全くしないなどの選択種があり、運動の頻度が少ない選択種を小さい数値に、毎日運動をする、を大きな数値に設定する。
【００２９】
次に料理の好みには中華料理、和食、イタリア料理等の項目が記録されている。各項目に対して、毎日３食でも食べたい、毎日食べたい、一週間に１日食べたい、１ヶ月に１日食べたい、食べたくない、等の選択種が設けられており、食べたい頻度が少ない選択種を小さい数値、例えば１に、多い選択種を大きな数値、例えば７、に設定する。
【００３０】
次に好きなお酒の種類（図示しない）には、ワイン、ビール、カクテル、焼酎等の項目が記録されている。各項目に対して料理の好みと同様な選択種が設けてあり、各選択種の数値設定も同様に設定する。
【００３１】
最後に健康状態（図示しない）には、ダイエット中、増量中、など登録者が意識して取り組んでいる項目と高血圧、肥満等医師からの診断があった状態などが記録されている。これらの項目に対してはその状態であるかどうかを０または１にて登録する。例えばダイエット中であればダイエット中という項目欄に１と登録する。
【００３２】
なお基本情報以外の情報は任意であり登録を希望する項目のみ登録することが可能であるが、より多くの項目を登録すればするほど検索者に適した検索結果を表示することが可能であるため、登録手段１０１からより多くの項目を登録するよう推薦する。
【００３３】
次に本実施の形態で飲食情報とは飲食店に関する情報と調理法に関する情報として説明するが、本発明はこれに限られるわけではない。
【００３４】
まず飲食情報蓄積手段１０３には飲食店の名前、住所、電話番号、参考メニュー、価格等が蓄積されている。またそれらの飲食店を利用した利用者による評価を登録手段１０１から登録することができる。この際に登録者は飲食店に対する味付け、盛り合わせ、雰囲気、サービスなどの評価とともに総合評価をも登録できる。飲食情報管理システムは飲食情報蓄積手段１０３に蓄積されている飲食情報をどの登録者が登録したかを記録しておくが、検索者には登録者のＩＤは表示されないようになっている。
【００３５】
また飲食情報蓄積手段１０３には予め飲食情報管理システム側が登録した調理法とともに利用者が登録手段１０１より登録した調理法が蓄積されている。料理名、材料、調理手順、調理時間、カロリー等の情報と共に調理法を登録した登録者が記録されている。
【００３６】
また登録されている調理法により調理を実際に行い、その評価を登録手段１０１から登録することも可能であり、評価と共に評価者のＩＤも記録しておく。これらの際に飲食情報管理システムの利用者には調理法または調理法の評価または両方を登録した登録者のＩＤは登録者の希望により表示するが、それ以外の個人情報は表示しない。
【００３７】
これらの情報を基に検索手段１０４がどのように検索者に相応しい飲食情報を検索していくかを図２の検索手順のフローチャートと共に説明していく。
【００３８】
まずＳ０１で、検索者の登録内容を個人情報認識手段１０９により認識する。この際個人情報認識手段１０９は、検索者が入力手段１１１により入力したＩＤを予め個人情報蓄積手段１０２に登録されているＩＤの中から、検索者のＩＤを検索し、検索者の個人情報を認識する。
【００３９】
次にＳ０２にて、検索項目認識手段１１０により検索者がどのような内容を検索したいのかを認識する。例えば奈良市内にあるイタリア料理店で予算が４０００円以内の飲食店をみつけるのであれば、検索項目の中の地域と料理と予算の希望を入力手段１１１により入力し、それらを検索項目認識手段１１０が認識する。
【００４０】
次にＳ０３にて、検索者と登録者の類似度をどのような計算方法で求めるかを選択する。面積を使用するか同じ評価の項目数を使用するかを入力手段１１１により入力する。
【００４１】
ここからはまず面積を使用して類似度を求める場合について説明する。
【００４２】
まずＳ０４にて、検索者の個人情報の面積をグラフ面積計算手段１０７により計算する。まずＳ０１にて認識された個人情報はグラフ作成手段１０６により図３のようなレーダーグラフ化される。
【００４３】
グラフ面積計算手段１０７はこのレーダーグラフを個人情報の項目数分の三角形にわけ、各三角形の面積を合計し総合面積を求める。各三角形の面積は３６０度を項目数で割った角度と各項目の選択種の数値を使うことにより求められる。
【００４４】
なおグラフを作成する際に、個人情報全ての項目を１つのグラフにしてもよいが、標準では飲食に対するこだわりの各項目と、生活スタイルと、健康状態と別々のグラフをグラフ作成手段１０６により作成し、各項目の面積値をグラフ面積計算手段１０７により求める。
【００４５】
例えば図３のような味のこだわりに関するグラフにて、塩味と甘みの項目から形成される三角形は、一辺が６と一辺が４で間の角度が４５度である。（数１）を使い三角形の面積を求める。ここでｂ＝６、ｃ＝４、Ａ＝４５であるため面積は８．５である。
【００４６】
【数１】
2007034656.tif 000003
【００４７】
このように各三角形の面積を求め合計を求めることにより検索者の個人情報の面積値が設定される。
【００４８】
なおグラフ面積の計算方法は上記記載の方法に限られるわけではない。またグラフ面積計算手段１０７は検索者の検索時に面積を再度計算することも可能であるが、標準として飲食情報管理システムへの登録時に面積を計算し面積値を個人情報とし個人情報蓄積手段１０２に蓄積しておく。
【００４９】
次にＳ０５にて、Ｓ０２で指定された検索項目に該当する飲食店または調理法または両方を検索手段１０４にて検索する。検索手段１０４は飲食情報蓄積手段１０３に蓄積されている情報の中から入力手段１１１により検索者が入力し検索項目認識手段１１０により認識された項目と一致した情報のみを取り出す。
【００５０】
次にＳ０６にて、Ｓ０５の検索結果の中に、検索者と同様の面積値を持っている登録者が評価した情報を検索する。この際に面積が全く同じ、＋１または−１などの許容範囲も入力手段１１１により指定することが可能である。次に検索者と登録者の面積値が一致した検索結果の中から評価が指定された値以上の情報を検索手段１０４により検索する。例えば総合評価が５以上と入力手段１１１により指定することが可能である。
【００５１】
最後にＳ１１にて、検索結果を表示手段１１２により表示する。この際に検索者と登録者の面積値が一致し、なおかつ評価の高かった飲食店または調理法または両方のみを表示することや検索結果一覧の最初に一致した情報を表示し残りの検索結果をその後に表示することなどが可能である。
【００５２】
なお、ここでは個人情報蓄積手段１０２に登録されている味の好みのみでの面積の比較方法を説明したが、健康状態や生活スタイルなどの項目の面積もグラフ面積計算手段１０７により求め、これらの項目のうち１つの面積が一致する登録者、指定した複数の面積が一致する登録者、全ての面積を合計した値が一致する登録者などを検索することも可能である。
【００５３】
次に面積を使わずに同じ評価の項目数を数える場合について説明する。
【００５４】
まずＳ０７にて、登録者と比較をしたい項目を一つまたは複数指定する。例えば塩味の好みと辛さの好みが同じ登録者が評価した飲食店または調理法または両方を検索したい場合には、入力手段１１１にて塩味と辛さを入力する。
【００５５】
次にＳ０８にて、検索者の味の好みの数値を個人情報認識手段１０９にて読み取る。例えば図３の味の好みのレーダーグラフを参考にすると塩味は６で辛さは５である。
【００５６】
次にＳ０９にて、Ｓ０５と同様に、Ｓ０２で指定された検索項目に該当する飲食店または調理法または両方を検索手段１０４にて検索する。検索手段１０４は飲食情報蓄積手段１０３に蓄積されている情報の中から入力手段１１１により検索者が入力し検索項目認識手段１１０により認識された項目と一致した情報のみを取り出す。
【００５７】
また複数の項目を指定し、一致項目数測定手段１０８により５つの項目の中から３つ一致している登録者を検索することができる。例えば塩味、辛さ、甘さ、脂っぽさ、酸っぱさの内どれでも３つが一致していれば検索される。また全ての項目の中から９つ一致している登録者を検索するなどを指定した場合に該当登録者がいない場合は検索者に項目数を減らす、許容範囲を広げるなどの選択種を類似度計測手段１０５により検索者にあたえる。
【００５８】
次にＳ１０にて、Ｓ０９の検索結果の中に、検索者と同様のＳ０８にて指定した項目の数値を持っている登録者が評価した情報を検索する。この際に数値が全く同じ、＋１または−１などの許容範囲も入力手段１１１により指定することが可能である。
【００５９】
最後にＳ１１にて、検索結果を表示手段１１２にて表示する。この際に検索者と登録者の指定した項目の値が一致し、なおかつ評価の高かった飲食店または調理法または両方のみを表示することや検索結果一覧の最初に一致した情報を表示し残りの検索結果をその後に表示することなどが可能である。
【００６０】
以上のように、本実施の形態においては検索者の個人情報を個人情報認識手段により認識し、類似度測定手段により飲食店または調理法または両方の登録者と検索者の類似度を計算し検索手段１０４に反映することにより、検索者と同じ好み、健康状態、生活スタイルなどを持った登録者が高く評価した飲食店または調理法または両方を検索することとなり検索者に相応しい飲食店または調理法または両方の情報を提供することができる。
【００６１】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００６２】
以上のように、本発明にかかる飲食情報管理システムおよびそのプログラムは、検索者の個人情報に基づいて検索結果を出力することが可能となるので、飲食関係のみならず、旅行や娯楽情報を集めた情報蓄積手段等の用途にも適用できる。
【図面の簡単な説明】
【００６３】
【図１】本発明の実施の形態１における飲食情報管理システムの構成図
【図２】本発明の実施の形態１における検索手順のフローチャート
【図３】本発明の実施の形態１における味の好みのレーダーグラフ
【図４】本発明の実施の形態１における登録手段の画面図
【図５】従来の飲食情報管理システムの構成図
【符号の説明】
【００６４】
１０１  登録手段
１０２  個人情報蓄積手段
１０３  飲食情報蓄積手段
１０４  検索手段
１０５  類似度計測手段
１０６  グラフ作成手段
１０７  グラフ面積計算手段
１０８  一致項目数測定手段
１１２  表示手段
【図１】
2007034656.tif 000004
【図２】
2007034656.tif 000005
【図３】
2007034656.tif 000006
【図４】
2007034656.tif 000007
【図５】
2007034656.tif 000008